(57)【要約】  本発明にかかる携帯端末装置（１）は、所定の部材を収容可能な凹部（２１）と、当該凹部（２１）の周囲の側壁の頂面に設けられた取り付け面（２２とを有する筐体（１１）と、筐体（１１）の取り付け面（２２）に取り付けられると共に、取り付け面（２３）と、当該取り付け面（２３）の外側周囲に設けられた突出部（２４）とを有する固定部材（１２）と、固定部材（１２）の突出部（２４）の内側で、且つ取り付け面（２３）に取り付けられている表示部（１３）と、を備える。そして、固定部材（１２）の剛性は、筐体（１１）および表示部（１３）の剛性よりも低い。
2013136397.tif 000002
【特許請求の範囲】
【請求項１】
所定の部材を収容可能な凹部と、当該凹部の周囲の側壁の頂面に設けられた第１の取り付け面とを有する筐体と、
前記筐体の前記第１の取り付け面に取り付けられると共に、第２の取り付け面と、当該第２の取り付け面の外側周囲に設けられた第１の突出部とを有する固定部材と、
前記固定部材の前記第１の突出部の内側で、且つ前記第２の取り付け面に取り付けられている表示部と、を備え、
前記固定部材の剛性は、前記筐体および前記表示部の剛性よりも低い、
携帯端末装置。
【請求項２】
前記筐体に固定され、基板およびバッテリが固定されたフレーム部材を更に備え、
前記フレーム部材の外枠部は、前記表示部と対向する第３の取り付け面を有し、
前記表示部は、前記固定部材の前記第２の取り付け面および前記フレーム部材の前記第３の取り付け面に取り付けられている、
請求項１に記載の携帯端末装置。
【請求項３】
前記表示部は、前記固定部材の前記第２の取り付け面および前記フレーム部材の前記第３の取り付け面に渡って設けられた接着部材を介して、前記第２および第３の取り付け面に取り付けられている、
請求項２に記載の携帯端末装置。
【請求項４】
前記固定部材の前記第２の取り付け面および前記フレーム部材の前記第３の取り付け面は、前記表示部の主面の法線方向において略同一の高さとなるように設けられている、請求項２または３に記載の携帯端末装置。
【請求項５】
前記第２の取り付け面は、前記表示部の主面の法線方向において前記第１の取り付け面よりも表示部側に設けられている、請求項１乃至４のいずれか一項に記載の携帯端末装置。
【請求項６】
前記第２の取り付け面は、前記表示部の主面の法線方向からみて、前記第１の取り付け面のうち内側の取り付け面と重なるように設けられている、請求項１乃至５のいずれか一項に記載の携帯端末装置。
【請求項７】
前記筐体は炭素繊維を含む材料で構成されており、
前記表示部はガラス材料を含んだ天板で構成されたタッチパネルと、当該タッチパネルに取り付けられた表示パネルとを備え、
前記固定部材は樹脂材料で構成されている、
請求項１乃至６のいずれか一項に記載の携帯端末装置。
【発明の詳細な説明】
【技術分野】
【０００１】
本発明は携帯端末装置に関し、特に薄型平面筐体を用いた携帯端末装置に関する。
【背景技術】
【０００２】
近年、携帯電話やスマートフォンなどの携帯端末装置が広く普及している。一般的に、携帯端末装置はユーザが携帯して使用する場合が多いため、例えばユーザが誤って携帯端末装置を落下させた場合、携帯端末装置に強い衝撃が加わる。【０００３】
特許文献１には、強い衝撃が加わった場合であっても液晶パネルの配向性や画質の劣化を防ぐことができる液晶装置に関する技術が開示されている。特許文献１に開示されている液晶装置では、液晶装置本体に加わる衝撃が液晶パネルに伝わるのを防ぐための２つの衝撃吸収用の空間を液晶パネルの両側に設けた耐振動衝撃ユニットを固定用部材に固定している。そして、この耐振動衝撃ユニットを固定した固定用部材を液晶装置本体の外面を形成する第１外装部材に固定することにより、耐振動衝撃ユニットを第１外装部材に間接的に固定し、液晶装置本体に加わる強い衝撃が液晶パネルには伝わらないようにしている。【０００４】
特許文献２には、フロントケーシングの薄型化が可能な携帯端末装置に関する技術が開示されている。
【先行技術文献】
【特許文献】
【０００５】
【特許文献１】特開平１０−９０６５６号公報
【特許文献２】特開２００１−２９６８１６号公報
【発明の概要】
【発明が解決しようとする課題】
【０００６】
近年、携帯電話やスマートフォンなどの携帯端末装置では薄型化が進んでいる。しかしながら、携帯端末装置の薄型化が進むと携帯端末装置の強度が低下し耐衝撃性が低下するという問題がある。【０００７】
上記課題に鑑み本発明の目的は、薄型化と耐衝撃性の向上を実現することが可能な携帯端末装置を提供することである。
【課題を解決するための手段】
【０００８】
本発明にかかる携帯端末装置は、所定の部材を収容可能な凹部と、当該凹部の周囲の側壁の頂面に設けられた第１の取り付け面とを有する筐体と、前記筐体の前記第１の取り付け面に取り付けられると共に、第２の取り付け面と、当該第２の取り付け面の外側周囲に設けられた第１の突出部とを有する固定部材と、前記固定部材の前記第１の突出部の内側で、且つ前記第２の取り付け面に取り付けられている表示部と、を備え、前記固定部材の剛性は、前記筐体および前記表示部の剛性よりも低い。
【発明の効果】
【０００９】
本発明により、薄型化と耐衝撃性の向上を実現することが可能な携帯端末装置を提供することができる。
【図面の簡単な説明】
【００１０】
【図１】実施の形態にかかる携帯端末装置の一例を示す分解斜視図である。
【図２】図１に示す携帯端末装置のＩＩ−ＩＩにおける断面図である。
【図３】実施の形態にかかる携帯端末装置の他の例を示す断面図である。
【図４】実施の形態にかかる携帯端末装置の筐体にフレーム部材を取り付けた状態を示す上面図である。
【図５】実施の形態にかかる携帯端末装置の筐体にフレーム部材および固定部材を取り付けた状態を示す上面図である。
【図６】実施の形態にかかる携帯端末装置の筐体に表示部を取り付けた状態を示す上面図である。
【発明を実施するための形態】
【００１１】
以下、図面を参照して本発明の実施の形態について説明する。
図１は、本実施の形態にかかる携帯端末装置１の一例を示す分解斜視図である。図２は、図１に示す携帯端末装置１のＩＩ−ＩＩにおける断面図である。本実施の形態にかかる携帯端末装置１では、筐体１１と表示部１３とを固定部材１２を介して接合することで形成される空間に、基板１７、バッテリ１８、およびフレーム部材１６が収容される。本実施の形態にかかる携帯端末装置１は、例えばスマートフォン、タブレット型の携帯端末装置、携帯電話、ゲーム機、電子書籍端末などである。
【００１２】
基板１７およびバッテリ１８はフレーム部材１６にねじ等を用いて固定されている。例えば、基板１７およびバッテリ１８は、筐体１１側からフレーム部材１６に固定されている。基板１７およびバッテリ１８が固定されたフレーム部材１６は、筐体１１の凹部２１の角部に設けられている取り付け部３８にねじ等を用いて固定されている。フレーム部材１６は、外枠３１、３２、３５と、外枠３１、３２をつなぐ梁部材３３、３４とを有する。例えば、外枠３１、３２、３５は梁部材３３、３４よりも厚い材料で構成されている（図２参照）。
【００１３】
基板１７には、回路素子が設けられている。ここで、回路素子は、例えば携帯端末装置を駆動するためのプロセッサ、メモリ、通信モジュール等の集積回路装置や、カメラ用の撮像素子等である。また、バッテリ１８は、例えばリチウムイオン二次電池である。
【００１４】
フレーム部材１６は、基板１７およびバッテリ１８を保持するための部材であるので、ある程度の強度を必要とする。よって、フレーム部材１６は金属材料を用いて形成することが好ましい。フレーム部材１６に用いる材料としては、例えば、マグネシウム合金、アルミニウム、ステンレス等を挙げることができる。なお、携帯端末装置１の軽量化を考慮すると、マグネシウム合金を用いることが好ましい。また、強度を確保できるのであれば、樹脂材料を用いてフレーム部材１６を形成してもよい。
【００１５】
筐体１１は、所定の部材（フレーム部材１６、基板１７、バッテリ１８など）を収容可能な凹部２１と、当該凹部２１の周囲の側壁の頂面に設けられた取り付け面２２（第１の取り付け面）とを有する。また、筐体１１の凹部２１の角部にはフレーム部材１６を固定するための取り付け部３８が設けられている。なお、図１に示す筐体１１の背面は、ユーザの手にフィットするように曲線を有するように形成されている。しかし、筐体１１の背面は平坦に形成してもよい。
【００１６】
携帯端末装置１の強度を保つため、筐体１１は剛性の高い材料で構成することが好ましい。例えば、筐体１１は、炭素繊維を含むカーボンコンポジット材料（炭素繊維強化プラスチック（ＣＦＲＰ：Carbon Fiber Reinforced Plastics））を用いて構成することができる。カーボンコンポジット材料は、カーボンを５０体積％以上含み、シリカ、アルミナなどの無機系の粘結剤、ファイバなどを含む複合材料である。カーボンコンポジット材料は、高い強度と軽さを併せ持つ。また、筐体１１は、アルミニウム、アルミニウム合金、マグネシウム合金等の金属材料を用いて構成してもよい。
【００１７】
固定部材１２は、筐体１１の取り付け面２２と表示部１３の底面２７との間に設けられている。また、固定部材１２は、筐体１１の取り付け面２２と対応する箇所に枠状に設けられている。固定部材１２は、筐体１１の取り付け面２２に接着部材２８を用いて取り付けられている。また、固定部材１２は、固定部材１２の内側に設けられた取り付け面２３（第２の取り付け面）と、当該取り付け面２３の外側周囲に設けられた突出部２４（第１の突出部）とを有する。ここで、取り付け面２３は、表示部１３の主面の法線方向において取り付け面２２よりも表示部１３側に設けられている。また、取り付け面２３は、表示部１３の主面の法線方向からみて、取り付け面２２のうち内側の取り付け面と重なるように設けられている。
【００１８】
取り付け面２３は、表示部１３を取り付けるための面である。つまり、表示部１３（パネル１４）は、固定部材１２の取り付け面２３に接着部材２９を用いて取り付けられている。また、突出部２４は、表示部１３（パネル１４）の側壁を覆うように設けられている。なお、接着部材２８、２９は、例えば接着剤や両面テープなどである。
【００１９】
固定部材１２は、比較的軟らかい材料、つまり剛性が低い材料で形成されている。例えば、固定部材１２は樹脂材料を用いて形成することができる。このとき、固定部材１２の剛性は、筐体１１の剛性よりも低い。
【００２０】
表示部１３は、パネル１４と表示パネル１５とを備える。パネル１４は、表示パネル１５を外部環境から保護するための部材である。パネル１４は、タッチパネルであってもよい。タッチパネルは、ガラス材料を含んだ天板を用いて構成することができる。表示パネル１５は、パネル１４に接着剤や両面テープなどを用いて貼り付けられている。表示パネル１５は、例えば液晶パネルや有機ＥＬ（Electro Luminescence）パネル等である。
【００２１】
表示部１３（パネル１４）は、固定部材１２の突出部２４の内側において、固定部材１２の取り付け面２３に接着部材２９を用いて取り付けられている。表示部１３が備えるパネル１４は、表示パネル１５等を外部環境から保護する必要があるので、例えば透明で且つ剛性が高い材料（例えば、ガラスなど）を用いて形成する。このとき、固定部材１２の剛性は、表示部１３（パネル１４）の剛性よりも低い。
【００２２】
以上で説明したように、本実施の形態にかかる携帯端末装置では、筐体１１および表示部１３を剛性の高い材料で構成しているので、携帯端末装置を薄くしても携帯端末装置の強度を保つことができる。また、本実施の形態にかかる携帯端末装置では、比較的剛性の高い材料で構成されている筐体１１および表示部１３の間に、筐体１１および表示部１３の剛性よりも低い固定部材１２を設けている。よって、例えば、携帯端末装置を落下させた際に筐体１１に衝撃が加わった場合、この衝撃を剛性の低い固定部材１２を用いて吸収することができ、筐体１１に加わった衝撃が表示部１３に伝わることを抑制することができる。同様に、例えば、携帯端末装置を落下させた際に表示部１３に衝撃が加わった場合、この衝撃を剛性の低い固定部材１２を用いて吸収することができ、表示部１３に加わった衝撃が筐体１１に伝わることを抑制することができる。すなわち、筐体１１および表示部１３の間に、筐体１１および表示部１３の剛性よりも低い固定部材１２を設けることで、筐体１１と表示部１３との間を伝わる衝撃を吸収することができる。
【００２３】
また、本実施の形態にかかる携帯端末装置１では、固定部材１２に、表示部１３（パネル１４）の側壁を覆う突出部２４を設けている。つまり、携帯端末装置１の上面の周囲端部に固定部材１２を設けている。よって、携帯端末装置１を落下させた際に、携帯端末装置１の上面の周囲端部に設けられている固定部材１２が優先的に地面と接触するようにすることができ、落下時の衝撃を固定部材１２を用いて優先的に吸収することができる。具体的には、携帯端末装置１を落下させた際、落下時の衝撃が筐体１１に加わる前に、衝撃を固定部材１２を用いて吸収することができ、基板１７およびバッテリ１８に伝わる衝撃を緩和させることができる。
【００２４】
よって、本実施の形態にかかる発明により、薄型化と耐衝撃性の向上を実現することが可能な携帯端末装置を提供することができる。なお、本発明の効果は、携帯端末装置の大きさが比較的大きい場合（例えば、７インチ以上の場合）に、特に顕著となる。つまり、携帯端末装置が大きくなるにつれて携帯端末装置の耐衝撃性が弱くなるが、本発明を用いることで、携帯端末装置が比較的大きい場合であっても、携帯端末装置の耐衝撃性を向上させることができる。
【００２５】
更に、本実施の形態にかかる携帯端末装置では、筐体１１が剛性の高い材料で構成されている。また、基板１７およびバッテリ１８が固定されたフレーム部材１６は、筐体１１に固定されている。よって、フレーム部材１６の塑性変形を剛性の高い筐体１１の復元力で抑制することができる。また、携帯端末装置の剛性を、筐体１１とフレーム部材１６とが一体となった部分で確保することができる。よって、筐体１１が薄型化しても携帯端末装置の強度を保つことができる。
【００２６】
また、基板１７およびバッテリ１８はフレーム部材１６を介して筐体１１に固定されているので、携帯端末装置を落下させたときに筐体１１から基板１７およびバッテリ１８に伝わる衝撃を緩和させることができる。より具体的には、携帯端末装置を落下させたときに筐体１１に加わった衝撃は、直接、基板１７やバッテリ１８には伝わらずに、筐体１１からフレーム部材１６に伝わり、その後、フレーム部材１６から基板１７およびバッテリ１８に伝わるようになっているので、基板１７およびバッテリ１８に伝わる衝撃を緩和させることができる。
【００２７】
また、本実施の形態にかかる携帯端末装置では、筐体１１と表示部１３との間に固定部材１２を設けているので、筐体１１に表示部１３を固定する際の位置決めを容易にすることができる。
【００２８】
次に、本実施の形態にかかる携帯端末装置の他の態様について説明する。
本実施の形態にかかる携帯端末装置では、図３に示すように、表示部１３を固定部材１２の取り付け面２３に取り付けると共に、表示部１３をフレーム部材１６の取り付け面２６（第３の取り付け面）に取り付けてもよい。このとき、固定部材１２の取り付け面２３およびフレーム部材１６の取り付け面２６に渡って接着部材２９を設け、この接着部材２９を用いて、表示部１３を取り付け面２３、２６に取り付けてもよい。
【００２９】
図４は、本実施の形態にかかる携帯端末装置の筐体１１にフレーム部材１６を取り付けた状態を示す上面図である。図４に示すように、基板１７およびバッテリ１８が固定されたフレーム部材１６は、筐体１１の凹部２１の角部に設けられている取り付け部３８にねじ等を用いて固定されている。フレーム部材１６は、外枠３１、３２、３５（外枠部）と、外枠３１、３２をつなぐ梁部材３３、３４とを有する。例えば、外枠３１、３２、３５は梁部材３３、３４よりも厚い材料で構成されている（図３参照）。そして、フレーム部材１６の取り付け面２６は、外枠３１、３２、３５の頂面に表示部１３の底面２７と対向するように形成されている。
【００３０】
図５は、本実施の形態にかかる携帯端末装置の筐体１１にフレーム部材１６および固定部材１２を取り付けた状態を示す上面図である。図５に示すように、固定部材１２の取り付け面２３とフレーム部材１６の外枠３１、３２、３３の頂面（それぞれハッチングで示す）が、表示部１３と接合される箇所である。
【００３１】
図６は、本実施の形態にかかる携帯端末装置の筐体１１に表示部１３を取り付けた状態を示す上面図である。表示部１３は、固定部材１２の突出部２４の内側において、固定部材１２の取り付け面２３と、フレーム部材１６の取り付け面２６とに接着部材２９を用いて取り付けられている（図３参照）。このとき、図６に示すように、表示部１３の周囲は固定部材１２の突出部２４によって囲まれている。また、例えば、図３に示すように、固定部材１２の取り付け面２３およびフレーム部材１６の取り付け面２６は、表示部１３の主面の法線方向において略同一の高さとなるように形成してもよい。
【００３２】
以上、実施の形態を参照して本願発明を説明したが、本願発明は上記によって限定されるものではない。本願発明の構成や詳細には、発明のスコープ内で当業者が理解し得る様々な変更をすることができる。
【００３３】
この出願は、２０１２年３月１２日に出願された日本出願特願２０１２−５４２４６を基礎とする優先権を主張し、その開示の全てをここに取り込む。
【符号の説明】
【００３４】
１  携帯端末装置
１１  筐体
１２  固定部材
１３  表示部
１４  パネル（タッチパネル）
１５  表示パネル
１６  フレーム部材
１７  基板
１８  バッテリ
２１  凹部
２２  取り付け面（第１の取り付け面）
２３  取り付け面（第２の取り付け面）
２４  突出部（第１の突出部）
２６  取り付け面（第３の取り付け面）
２７  底面
２８、２９  接着部材
３１、３２、３５  外枠
３３、３４  梁部材
３８  取り付け部
【図１】
2013136397.tif 000003
【図２】
2013136397.tif 000004
【図３】
2013136397.tif 000005
【図４】
2013136397.tif 000006
【図５】
2013136397.tif 000007
【図６】
2013136397.tif 000008
【国際調査報告】
2013136397.tif 000009
2013136397.tif 000010
2013136397.tif 000011